(57)【要約】【課題】本発明は２個の電極で酸化還元電位の低い水に改質することができるとともに、該２個の電極に改質する水に含まれているカルシウム分等のスケールが付着しても、自動的に落して、長期間電極の交換やスケール落しの作業が不要で、効率よく水の改質を行なうことができる水の改質装置を得るにある。【解決手段】改質する水を収納することができる電気分解用容器と、この電気分解用容器内に配置された第１、第２の電極と、この第１の電極に接続されたトランスからの交流を整流し、高周波発振器での高周波を高周波切替指令回路でプラス側とマイナス側に切替えて供給する交流印加回路と、前記第２の電極に接続された前記トランスの整流器側のコイルのほぼ中央部に接続される接地回路とで水の改質装置を構成している。【選択図】  図１
2004160316.tif 000002
【特許請求の範囲】
【請求項１】
改質する水を収納することができる電気分解用容器と、この電気分解用容器内に配置された第１、第２の電極と、この第１の電極に接続されたトランスからの交流を整流し、高周波発振器での高周波を高周波切替指令回路でプラス側とマイナス側に切替えて供給する交流印加回路と、前記第２の電極に接続された前記トランスの整流器側のコイルのほぼ中央部に接続される接地回路とからなることを特徴とする水の改質装置。
【発明の詳細な説明】
【０００１】
【発明の属する技術分野】
本発明は主に水道水を酸化還元電位の低い水に改質することができる水の改質装置に関する。
【０００２】
【従来の技術】
従来、この種の水の改質装置は特許第２６１１０８０号に示すように、水中に第１、第２、第３の電極を配置し、前記第１、第２の電極間に交流波形のプラス側とマイナス側の波高値、波数、またはデュティ比等が非対称な交流を印加するとともに、前記第３の電極を接地することにより、前記第１、第２の電極間および第１、第２の電極と第３の電極間に直流電圧を発生させ、該直流電圧で前記第１、第２の電極間および第１、第２の電極と第３の電極間の水に直流電流を流し、電気分解させるものが考えられている。
【０００３】
【発明が解決しようとする課題】
従来の水の改質装置は、第１、第２、第３の３個の電極を用いるため、構造が複雑で、コスト高になるという欠点があるとともに、接地電極である第３の電極に改質する水に含まれているカルシウム分等のスケールが大量に付着して、第３の電極の交換やスケール落しの作業を頻繁に行なわなければ水の改質が十分に行なえないという欠点があった。
【０００４】
本発明は以上のような従来の欠点に鑑み、２個の電極で酸化還元電位の低い水に改質することができるとともに、該２個の電極に改質する水に含まれているカルシウム分等のスケールが付着しても、自動的に落して、長期間電極の交換やスケール落しの作業が不要で、効率よく水の改質を行なうことができる水の改質装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は改質する水を収納することができる電気分解用容器と、この電気分解用容器内に配置された第１、第２の電極と、この第１の電極に接続されたトランスからの交流を整流し、高周波発振器での高周波を高周波切替指令回路でプラス側とマイナス側に切替えて供給する交流印加回路と、前記第２の電極に接続された前記トランスの整流器側のコイルのほぼ中央部に接続される接地回路とで水の改質装置を構成している。
【０００７】
【発明の実施の形態】
以下、図面に示す実施の形態により、本発明を詳細に説明する。
【０００８】
図１および図２に示す本発明の第１の実施の形態において、１は水道水等の改質する水２を電気分解して酸化還元電位の低い水２Ａに改質する本発明の水の改質装置で、この水の改質装置１は改質する水２を収納することができる電気分解用容器３と、この電気分解用容器３内に配置された第１、第２の電極４、５と、この第１の電極４に接続されたトランス６からの交流を整流器７で整流し、高周波発振器８での高周波を高周波切替指令回路９でプラス側とマイナス側に切替えて供給する交流印加回路１０と、前記第２の電極５に接続された、前記トランス６の整流器７側のコイル６ａのほぼ中央部に接続される接地回路１１とで構成されている。
【０００９】
前記交流印加回路１０の高周波切替指令回路９は、フリップフロップ回路からなるＣＰＵ１２と、このＣＰＵ１２から３０ＫＨｚ〜５０ＫＨｚの高周波信号を高周波スイッチとしてのトランジスター１３、１４を介してプラス側とマイナス側に切替えて、前記第１の電極４に供給できるように構成されている。
【００１０】
上記構成の水の改質装置１は、第１の電極４と第２の電極５とで改質する水を電気分解し、水素ガスと炭酸ガスを発生させるが、水素ガスは改質する水に過飽和に溶け込むが、炭酸ガスは飽和状態までしか溶け込むことができない。
このため、酸化体である酸素に比べて、還元体である水素が増加し、酸化還元電位が低下する水に改質することができる。
また、この電気分解中は第１の電極４にプラス側とマイナス側の高周波が切替えて供給されるため、改質する水に含まれているカルシウム分等のスケールが第１、第２の電極４、５に付着しても、プラス側とマイナス側の高周波に切替えられることにより、付着したカルシウム等のスケールは第１、第２の電極４、５より脱落させることができる。
【００１１】
【発明の異なる実施の形態】
次に、図３ないし図６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図３および図４に示す本発明の第２の実施の形態において、前記本発明の第１の実施の形態と主に異なる点は、密閉状態の電気分解用容器３Ａを用い、該電気分解用容器３Ａ内へ水道水を供給する開閉弁１５を備えた水道水供給パイプ１６と、前記電気分解用容器３Ａ内での電気分解によって改質された酸化還元電位の低い水２Ａを外部へ排出する排出パイプ１７を設けた点で、このように構成された水の改質装置１Ａにしても、前記本発明の第１の実施の形態と同様な作用効果が得られる。
【００１３】
図５および図６に示す本発明の第３の実施の形態において、前記本発明の第２の実施の形態と主に異なる点は、水道水を浄水器１８を介して電気分解用容器３Ａに供給するとともに、電気分解用容器３Ａ内の圧力が一定値以上になると外部へ気体を排出する安全弁１９と、排出パイプ１７に開閉弁２０を設けた点で、このように構成した水の改質装置１Ｂにしても、前記本発明の第２の実施の形態と同様な作用効果が得られる。
【００１４】
【発明の効果】
以上の説明から明らかなように、本発明にあっては次に列挙する効果が得られる。
【００１５】
（１）改質する水を収納することができる電気分解用容器と、この電気分解用容器内に配置された第１、第２の電極と、この第１の電極に接続されたトランスからの交流を整流し、高周波発振器での高周波を高周波切替指令回路でプラス側とマイナス側に切替えて供給する交流印加回路と、前記第２の電極に接続された前記トランスの整流器側のコイルのほぼ中央部に接続される接地回路とで構成されているので、第１、第２の電極を用いて改質する水を電気分解して、酸化還元電位の低い水に改質することができる。
したがって、酸化還元電位の低い水は活性酸素を消去する能力が強く、健康的な水として飲用することができる。
【００１６】
（２）前記（１）によって、第１の電極と第２の電極でよいので、従来のように第３、第４の電極を用いるものに比べ、構造が簡単で、安価に製造することができる。
【００１７】
（３）前記（１）によって、第１の電極にプラス側とマイナス側の高周波を切替えて供給するので、第１、第２の電極にカルシウム等のスケールが付着しても、プラス側とマイナス側に切替えることにより、付着したスケールを脱落させることができる。
したがって、長期間、電極を交換したり、スケールを除去する作業を行なうことなく使用しても、あらかじめ設定された水の改質状態を保ちながら、水の改質を行なうことができる。
したがって、経済的に使用することができる。
【図面の簡単な説明】
【図１】本発明の第１の実施の形態の概略回路図。
【図２】図１の要部拡大説明図。
【図３】本発明の第２の実施の形態の概略回路図。
【図４】図３の要部拡大説明図。
【図５】本発明の第３の実施の形態の概略回路図。
【図６】図５の要部拡大説明図。
【符号の説明】
１、１Ａ、１Ｂ：水の改質装置、
２：改質する水、
２Ａ：酸化還元電位の低い水、
３、３Ａ：電気分解用容器、
４：第１の電極、        ５：第２の電極、
６：トランス、          ７：整流器、
８：高周波発振器、      ９：高周波切替指令回路、
１０：交流印加回路、    １１：接地回路、
１２：ＣＰＵ
１３、１４：高周波スイッチとしてのトランジスター、
１５：開閉弁、          １６：水道水供給パイプ、
１７：排出パイプ、      １８：浄水器、
１９：安全弁、          ２０：開閉弁。
【図１】
2004160316.tif 000003
【図２】
2004160316.tif 000004
【図３】
2004160316.tif 000005
【図４】
2004160316.tif 000006
【図５】
2004160316.tif 000007
【図６】
2004160316.tif 000008